(57)【特許請求の範囲】
【請求項１】
２枚の通気・撥水性の不織布を積層固定した本体バックシートと、この本体バックシートの内面に固定され、股間部を中心として前後方向に延在する吸収主体とからなり、
前記吸収主体は、着用者の肌に直接触れる透液性トップシートと、不透液性バックシートとの間に、綿状パルプを主体とする吸収コアを含む吸収要素が介在されてなるものであり、
前記本体バックシートにおける腹側の左右両側縁と背側の左右両側縁とが接合され、左右１対の脚周り開口部及び胴周り開口部が形成された、パンツ型使い捨て紙おむつにおいて、
前記腹側及び背側における前記胴周り開口部縁近傍の前記吸収コアが存在しないウエスト領域において、前記本体バックシートの不織布間に、前記開口部縁と平行に４〜６ｍｍの間隔を置いて５〜７本の細い糸ゴムからなるウエスト弾性伸縮部材が固定され、
前記腹側及び背側における前記吸収コアが存在しかつ前記１対の脚周り開口部を繋ぐ股下区域に至るまでの腰周り領域において、前記本体バックシートの不織布間に、前記吸収コアを横切って左右に延在して、前記開口部縁と平行に前記ウエスト弾性伸縮部材相互の間隔と同じか短い間隔を置いて９〜２５本の細い糸ゴムからなる腰周り弾性伸縮部材が固定され、
前記ウエスト弾性伸縮部材と腰周り弾性伸縮部材とは、伸張応力及び断面外径が実質的に同一であるとともに、その断面外径は１００〜３５０μｍの範囲にあり、
前記ウエスト弾性伸縮部材のうち最も前記股間部側に位置するものが、前記吸収主体における前記胴回り開口部側の縁より前記胴回り開口部側に位置し、且つ前記腰周り弾性伸縮部材のうち最も前記胴回り開口部側に位置するものが、前記吸収主体における前記胴回り開口部側の縁より前記股間部側に位置しており、
前記ウエスト弾性伸縮部材のうち最も前記股間部側に位置するものと、前記腰周り弾性伸縮部材のうち最も前記胴回り開口部側に位置するものとの間隔が、前記ウエスト部弾性伸縮部材の相互間隔より広い、
ことを特徴とするパンツ型使い捨て紙おむつ。
【請求項２】
前記吸収主体の両側部には、使用面側に突出する脚周り用起立カフスがそれぞれ形成されており、
これら起立カフスは、製品の中央側に向かう起立部と、途中で折り返し反転して外側に向かう平面当り部とを有しており、前記起立部に弾性伸縮部材が前後方向に沿って固着されるとともに、前記平面当り部の先端部に複数本の弾性伸縮部材が前後方向に沿って固着されている、請求項１記載のパンツ型使い捨て紙おむつ。
【請求項３】
前記腹側における前記本体バックシートの不織布間に、左腰脇部と右腰脇部との間を結び、幅方向中央部が股下側に膨出し、且つ前記腰周り弾性伸縮部材と交差する形状をもって、複数本の糸ゴムからなるフィット用弾性伸縮部材が間隔を置いて固定されており、
このフィット用弾性伸縮部材の膨出下端部は、一部が前記腰周り弾性伸縮部材に対して重なり、残部が前記腰周り弾性伸縮部材よりも下側に膨出する配置とされている、
請求項１または２記載のパンツ型使い捨て紙おむつ。
【請求項４】
前記股下区域における前記本体バックシートの不織布間に、前記腰周り弾性伸縮部材と同一の伸張応力及び断面外径を有する股下弾性伸縮部材が固定されている請求項１または２記載のパンツ型使い捨て紙おむつ。
【発明の詳細な説明】
【０００１】
【発明の属する技術分野】
本発明は、パンツ型使い捨て紙おむつに関する。
【０００２】
【従来の技術】
パンツ型使い捨て紙おむつは、透液性トップシートを透過した液を吸収コアを含む吸収要素で吸収するとともに、吸収した液の衣類側への漏れを防止する構造を有し、腹側の左右両側縁と背側の左右両側縁とが接合され、左右１対の脚周り開口部及び胴周り開口部を形成したものであり、汎用されている。
【０００３】
この種のパンツ型使い捨て紙おむつにおいては、腹側及び背側における前記胴周り開口部縁近傍の前記吸収コアが存在しないウエスト領域において、前記開口部縁に平行に間隔を置いて複数本の糸ゴムからなるウエスト弾性伸縮部材が一般的に設けられている。また、さらに、前記吸収コアが存在しかつ前記１対の脚周り開口部を繋ぐ股下区域に至るまでの腰周り領域において、前記吸収コアを横切って左右に延在して、前記開口部縁と平行に間隔を置いて糸ゴムからなる腰周り弾性伸縮部材が固定されたものも市販されている。
【０００４】
腰周り弾性伸縮部材は、ウエスト弾性伸縮部材と相俟って製品のずれ落ちを防止するとともに、それ自体は肌への密着性を高める機能がある。
【０００５】
ウエスト弾性伸縮部材と腰周り弾性伸縮部材との関係について着目したものに、特許第２８３３７２０号発明がある。この発明は、腰周り弾性伸縮部材の間隔が、ウエスト弾性伸縮部材の間隔よりも大きくしてあり、腰周り弾性伸縮部材の伸張応力が、ウエスト弾性伸縮部材のそれよりも小さくしてある、したがって通常は腰周り弾性伸縮部材の横断面外径を、ウエスト弾性伸縮部材の横断面外径より小さくするものである。
【０００６】
【発明が解決しようとする課題】
この発明は合理的であると考えられているが、さらに検討を進めると不具合がことが知見された。
【０００７】
すなわち、ウエスト弾性伸縮部材が、腰周り弾性伸縮部材との対比において、大径の糸ゴムでしかも間隔が短いので、ウエストを強く締め付けることになる。逆に、ウエストを強く締め付けないようにするためには、糸ゴムの横断面外径をより小さくするか間隔を大きめにすることが要求されるが、この場合には、結果的に腰周り弾性伸縮部材の横断面外径がより小さくなり、間隔が大きめになるために、着用者の運動によりずれ落ちが生じ易く、また吸収コア領域が肌と離れがちとなり、横漏れや前後もれを生じがちとなる。
【０００８】
したがって、本発明の主たる課題は、製品のずれ落ちを防止し、かつ適度の力でウエスト及び胴を締め付け、しかも吸収コア領域を肌と確実に密着させることができるパンツ型使い捨て紙おむつを提供することにある。
【０００９】
【課題を解決するための手段】
上記課題を解決した本発明は次記のとおりである。
＜請求項１記載の発明＞
２枚の通気・撥水性の不織布を積層固定した本体バックシートと、この本体バックシートの内面に固定され、股間部を中心として前後方向に延在する吸収主体とからなり、
前記吸収主体は、着用者の肌に直接触れる透液性トップシートと、不透液性バックシートとの間に、綿状パルプを主体とする吸収コアを含む吸収要素が介在されてなるものであり、
前記本体バックシートにおける腹側の左右両側縁と背側の左右両側縁とが接合され、左右１対の脚周り開口部及び胴周り開口部が形成された、パンツ型使い捨て紙おむつにおいて、
前記腹側及び背側における前記胴周り開口部縁近傍の前記吸収コアが存在しないウエスト領域において、前記本体バックシートの不織布間に、前記開口部縁と平行に４〜６ｍｍの間隔を置いて５〜７本の細い糸ゴムからなるウエスト弾性伸縮部材が固定され、
前記腹側及び背側における前記吸収コアが存在しかつ前記１対の脚周り開口部を繋ぐ股下区域に至るまでの腰周り領域において、前記本体バックシートの不織布間に、前記吸収コアを横切って左右に延在して、前記開口部縁と平行に前記ウエスト弾性伸縮部材相互の間隔と同じか短い間隔を置いて９〜２５本の細い糸ゴムからなる腰周り弾性伸縮部材が固定され、
前記ウエスト弾性伸縮部材と腰周り弾性伸縮部材とは、伸張応力及び断面外径が実質的に同一であるとともに、その断面外径は１００〜３５０μｍの範囲にあり、
前記ウエスト弾性伸縮部材のうち最も前記股間部側に位置するものが、前記吸収主体における前記胴回り開口部側の縁より前記胴回り開口部側に位置し、且つ前記腰周り弾性伸縮部材のうち最も前記胴回り開口部側に位置するものが、前記吸収主体における前記胴回り開口部側の縁より前記股間部側に位置しており、
前記ウエスト弾性伸縮部材のうち最も前記股間部側に位置するものと、前記腰周り弾性伸縮部材のうち最も前記胴回り開口部側に位置するものとの間隔が、前記ウエスト部弾性伸縮部材の相互間隔より広い、
ことを特徴とするパンツ型使い捨て紙おむつ。
【００１０】
（作用効果）
本発明では、ウエスト弾性伸縮部材と腰周り弾性伸縮部材との伸張応力及び断面外径は実質的に同一であり、ウエスト弾性伸縮部材相互の間隔に対して、腰周り弾性伸縮部材相互の間隔が同じか短いものとした。しかも、腰周り弾性伸縮部材として従来のものでは、２〜３本、多いもので６本であるのに対して、細い糸ゴムを９〜２５本適用してある。
その結果、ユーザーは腰周り弾性伸縮部材が木目細かく配置されていることで、見栄え（柔らかい感じを与え、漏れ難いイメージを醸し出し、肌を過度に締め付けないイメージを与える）に優れるとともに、ウエスト弾性伸縮部材と腰周り弾性伸縮部材との見た目のバランスに優れ、しかも現実として、製品のずれ落ちを確実に防止でき、かつ適度の力でウエスト及び胴を締め付け、吸収コア領域を肌と確実に密着させることができるものを得ることができる。
さらに、本発明では、腰周り弾性伸縮部材の収縮力は、主に本体バックシートに作用し、吸収コアをその幅方向に収縮させる力としては小さくなるので、吸収コアの変形が小さく、しかも吸収コアの裏面側から肌側に押圧するようになるので、この観点からも吸収コアの変形が小さく、トップシート及び吸収コア全体が常時肌に対して密着するようになり、液の吸収性を高め、漏れを防止するように機能する。
【００１１】
＜請求項２記載の発明＞
前記吸収主体の両側部には、使用面側に突出する脚周り用起立カフスがそれぞれ形成されており、
これら起立カフスは、製品の中央側に向かう起立部と、途中で折り返し反転して外側に向かう平面当り部とを有しており、前記起立部に弾性伸縮部材が前後方向に沿って固着されるとともに、前記平面当り部の先端部に複数本の弾性伸縮部材が前後方向に沿って固着されている、請求項１記載のパンツ型使い捨て紙おむつ。
【００１２】
（作用効果）
起立カフスに配置された弾性伸縮部材が吸収主体を内側にカールさせるように作用する結果、このカール作用と前述の腰周り弾性伸縮部材による腰周りフィット（締め付け）作用との相乗作用によって、脚周り開口部が収縮されるようになる。
【００１３】
＜請求項３記載の発明＞
前記腹側における前記本体バックシートの不織布間に、左腰脇部と右腰脇部との間を結び、幅方向中央部が股下側に膨出し、且つ前記腰周り弾性伸縮部材と交差する形状をもって、複数本の糸ゴムからなるフィット用弾性伸縮部材が間隔を置いて固定されており、
このフィット用弾性伸縮部材の膨出下端部は、一部が前記腰周り弾性伸縮部材に対して重なり、残部が前記腰周り弾性伸縮部材よりも下側に膨出する配置とされている、
請求項１または２記載のパンツ型使い捨て紙おむつ。
【００１４】
（作用効果）
中央部が股下側に膨出する形状をもって、間隔を置いて複数本の糸ゴムからなるフィット用弾性伸縮部材を設けると、股下側を前記胴周り開口部縁側に向かって持ち上げる力が作用し、ずれ落ちを防止するのみならず、股下区域のダボつきを解消できる。また、フィット用弾性伸縮部材の収縮力の製品幅方向の分力は、胴周りを締め付ける力として作用する。
【００１５】
＜請求項４記載の発明＞
前記股下区域における前記本体バックシートの不織布間に、前記腰周り弾性伸縮部材と同一の伸張応力及び断面外径を有する股下弾性伸縮部材が固定されている請求項１または２記載のパンツ型使い捨て紙おむつ。
【００１６】
（作用効果）
股下弾性伸縮部材は、左右１対の脚周り開口部を製品の中央線側に寄せ、脚周り開口部に脚の付け根に対して位置決めし、脚周りからの漏れを防止する上で効果的であり、股下区域のダボつきも解消する。
【００１７】
【発明の実施の形態】
以下本発明の実施の形態を図面を参照しながらさらに詳説する。
＜第１の実施の形態＞
第１の実施の形態のパンツ型使い捨ておむつは、図１〜図４に示すように、本体バックシート１と、この本体バックシート１内面に固定され、股間部４を中心として前後方向（縦方向）に延在する吸収主体１０とを主体として構成されている。１００は、本体バックシート１表面に配設された、いわゆる後処理テープを示している。
【００１８】
本体バックシート１は２枚の通気・撥水性の不織布を積層固定してなり、この本体バックシート１と吸収主体１０とを重ね合わせた後の前記製造工程の最終段階で、前身頃Ｆと後身頃Ｂとの両側縁部の長手方向全体を超音波シールや熱溶融などの手段により接合する（この接合部を符号３０としてある）ことにより、胴周り開口部および左右一対の脚周り開口部を形成してある。
【００１９】
吸収主体１０は、不織布などからなり着用者の肌に直接触れる透液性トップシート１１と、ポリエチレンプラスチックフィルムなどからなる不透液性バックシート１２との間に、綿状パルプを主体とする吸収コア１３とその上下面に配置されたクレープ紙１４とからなる吸収要素ＡＢを挟み込み、前記本体バックシート１に対して、ホットメルト接着剤により接着（図中＊で示しているのが接着部分である）して一体化し、吸収要素ＡＢを位置決めしたものである。必要に応じて、図示のように透液性トップシート１１とクレープ紙１４との間に透液性セカンドシート１１Ｓを介在させることができる。
【００２０】
かかる吸収主体１０の両側部には、使用面側に突出する脚周り用起立カフスＢＡ，ＢＡがそれぞれ形成され、この起立カフスＢＡは、実質的に幅方向に連続した起立用シートと、弾性伸縮部材、たとえば糸ゴムからなる一本のまたは図示のように複数本の弾性伸縮部材５０，５０…とにより構成されている。
【００２１】
さらに詳細には、起立カフスＢＡは、起立用シートを内面がわを短く段違いに内折りして２重に形成され、各弾性伸縮部材５０，５０…をホットメルト接着剤などにより固着した状態で包んで形成されたものである。各起立カフスを形成する起立用シートは、透液性でなく不透液性であるのが望ましい。また、透液性シートに対してシリコン処理などにより液体をはじく性質となるようにしてもよい。
【００２２】
二重の起立用シートの内面は、本体バックシート１の端部に固着始端を有し、この固着始端から吸収主体１０の側端縁にかけて、幅方向外方部分がホットメルト接着剤などにより固着されている。二重の起立用シートの外面も、その下面において本体バックシート１にホットメルト接着剤などにより固着されている。その結果、二重の起立用シートの内面の、透液性トップシート１１への固着始端は、起立カフスＢＡの起立端を形成している。この起立端より内側は、製品本体に固定されていない自由部分であり、製品の中央側に向かう起立部Ｂ１と、途中で折り返し反転して外側に向かう平面当り部Ｂ２とに機能的にかつ概念的に区分されている。他方、図３にも示すように、長手方向前後端部において、ホットメルト接着剤などにより、前記起立部相当部（起立部Ｂ１の延長部）Ｂ１１は、物品の中央側に向かう状態で物品に，具体的には透液性トップシート１１外面に固定され、前記平面当り部相当部（平面当り部Ｂ２の延長部）Ｂ２２が折り返し反転した状態で起立部相当部Ｂ１１上に固定されている。
【００２３】
また、弾性伸縮部材５０，５０…は、少なくとも１本が平面当り部Ｂ２にあることを基本形態とするが、特に弾性伸縮部材５０は平面当り部Ｂ２の先端部にあることが好ましく、さらに、起立部Ｂ１にも弾性伸縮部材５０を有することが好ましい。最適な形態は、起立端近傍、折り返し近傍、及び平面当り部Ｂ２の先端部にあることである。平面当り部Ｂ２の先端部には、図示のように複数本有するのがさらに望ましい。起立部Ｂ１には、起立力を高めるために、さらに弾性伸縮部材５０，５０…を設けることができる。図示の形態では、起立部Ｂ１に３本、平面当り部Ｂ２に４本の合計７本である。
【００２４】
図２及び図３は、紙おむつを長手方向に伸長した状態であるが、装着時には、紙おむつが舟形に体に装着されるので、そして各弾性伸縮部材５０，５０…の収縮力が作用するので、図５に示すように、製品の前後端は図３の状態を保持したまま、脚周りでは、各弾性伸縮部材５０，５０…の収縮力により起立カフスＢＡが起立する。そしてこのとき、吸収主体１０の側端接着部を変形させ持ち上げ、また若干吸収コア１３も変形させつつ持ち上げ、深いポケット空間を形成する。しかも、この持ち上げ状態で、各弾性伸縮部材５０，５０…の収縮力が起立カフスＢＡ自体に作用するから、起立部Ｂ１はほぼ垂直に起立するようになる。平面当り部Ｂ２も、垂直に起立するようになるものの、平面当り部相当部Ｂ２２が折り返し反転した状態で起立部相当部Ｂ１１上に固定されているから、垂直に起立にも限度があり、平面当り部Ｂ２は外向き状態を保持したまま、垂直方向の起立力を維持しながら起立する。その結果、平面当り部Ｂ２は、常に、着用者の脚周りに平面的にフィットする。
【００２５】
起立部Ｂ１，Ｂ１で囲まれる空間は、尿または軟便の閉じ込め空間を形成する。この空間内に排尿されると、その尿は透液性トップシート１１を通って吸収主体１０内に吸収されるとともに、軟便の固形分については、起立カフスＢＡの起立部Ｂ１，Ｂ１がバリヤーとなり、その乗り越えが防止される。万一、起立部Ｂ１の起立遠位側縁を乗り越えて横に漏れた尿は、平面当り部Ｂ２によるストップ機能により横漏れが防止される。
【００２６】
他方、本発明においては、本体バックシート１の不織布間（さらに詳しくは図４に示すように、本体バックシート１の前後端部の折り返し巻き込み部分におけるトップシート１１の前後端部と接合される部分の不織布間）には、腰周りのフィット性を高めるために、前身頃Ｆと後身頃Ｂとにおいて、胴周り開口部の端縁に平行に間隔を置いて細い糸ゴムからなるウエスト弾性伸縮部材２０，２０…が弾性伸縮するように伸長下に配置固定されている。ウエスト弾性伸縮部材２０，２０…の間隔および本数は適宜定めることができるが、例えば間隔としては４〜６ｍｍ程度、本数としては５〜７本程度が好ましい。
【００２７】
さらに本発明においては、特に下腹部にかけての胴周りのフィット性を高め、尿の前後漏れを防止するために、胴周り開口部の端縁と平行に、細い糸ゴムからなる腰周り弾性伸縮部材２１，２１…が弾性伸縮するように伸長下に、前身頃Ｆ及び後身頃Ｂの両者において、それぞれ平行に９〜２５本、本体バックシート１の不織布間に配置固定されている。特徴的には、この腰周り弾性伸縮部材２１，２１…の間隔は、本発明においてはウエスト弾性伸縮部材２０，２０…の間隔に対して同じか、あるいはそれよりも短いものとされる。
【００２８】
そして、これらウエスト弾性伸縮部材２０として使用する細い糸ゴムと、腰周り弾性伸縮部材２１として使用する細い糸ゴムとは、伸張応力および断面外径が実質的に同一のものとされる。簡易には両者において全く同じ糸ゴムを使用することで対応できるが、色分け等の上記特性以外において差別化を図っても良い。本発明において使用する細い糸ゴムは、断面外径が１００〜３５０μｍの範囲のものである。具体的には、伸張応力が、１５０％伸長時において４〜１７ｇの範囲、特に５〜１０ｇの範囲の糸ゴムが好適に使用され、断面外径が１２０〜２７０μｍの範囲の糸ゴムが好適に使用される。
【００２９】
なお本形態においては、前述したように起立カフスＢＡ，ＢＡに配置された弾性伸縮部材５０，５０…が吸収主体１０を内側にカールさせるように作用する結果、このカール作用と前述の腰周り弾性伸縮部材２１，２１…による腰周りフィット（締め付け）作用との相乗作用によって、脚周り開口部が収縮されるようになっている。したがって、本形態において後述の実施形態３に示すような脚周り開口部を収縮させるために各脚周り開口部に沿って股間部４を通る弾性伸縮部材は設けていない。
【００３０】
＜第２の実施形態；請求項３記載の発明に関する＞
第２の実施形態は、図６にも示すように、第２の実施の形態においては、さらに前身頃Ｆにおいて、左腰脇部と右腰脇部との間を結び股下区域に向かってただし股下までは到達せずに膨出する配置態様をもって細目の糸ゴムからなるフィット用弾性伸縮部材２２が伸長下に、本体バックシート１の不織布間に配置固定されているものである。図示例においては、フィット用弾性伸縮部材２２の膨出下端部は、腰周り弾性伸縮部材２１，２１…に対して約半分が重なり、残部が腰周り弾性伸縮部材２１，２１…下端よりも下側に膨出する配置とされている。一方、後身頃Ｂにおいては、フィット用弾性伸縮部材が配置されていない。
【００３１】
かかるフィット用弾性伸縮部材が設けられていると、下腹部から股下部にかけての部位を持ち上げながら、腰周りがフィットするようになる。ただし、前述の第１の実施形態においても、腰周り弾性伸縮部材２１，２１…により腰周りフィット効果が十分に発揮される。
【００３２】
＜第３の実施形態＞
本発明においては、図７にも示すように、本体バックシート１の不織布間に、脚周り開口部を収縮させるように、前身頃Ｆおよび後身頃Ｂにおいて１本または複数本（図示例ではそれぞれ３本）の糸ゴムからなる脚周り弾性伸縮部材Ｇ１…，Ｇ２…を設けることがきる。さらに詳細には、前身頃Ｆの弾性伸縮部材Ｇ１は、左腰脇部２Ｌから左脚周り部３Ｌ、股間部４、右脚周り部３Ｒを経て右腰脇部２Ｒまで連続するように固定されており、後身頃Ｂの弾性伸縮部材Ｇ２は、左腰脇部５Ｌから左脚周り部６Ｌ、股間部４、右脚周り部６Ｒを経て右腰脇部５Ｒまで連続するように固定されている。これらの弾性伸縮部材Ｇ１…，Ｇ２…により左脚周り部および右脚周り部のそれぞれに脚周りギャザーが形成され、脚周りからの漏れが効果的に防止される。
【００３３】
【発明の効果】
以上のとおり、本発明によれば、製品のずれ落ちを防止し、かつ適度の力でウエスト及び胴を締め付け、しかも吸収コア領域を肌と確実に密着させることができるなどの利点がもたらされる。
【図面の簡単な説明】
【図１】  第１の実施形態のパンツ型使い捨て紙おむつの展開状態、一部破断平面図である。
【図２】  図１のII−II線矢視図である。
【図３】  図１のIII−III線矢視図である。
【図４】  図１のIV−IV線矢視図である。
【図５】  装着状態の図１のII−II線矢視図である。
【図６】  第２の実施形態のパンツ型使い捨て紙おむつの展開状態、一部破断平面図である。
【図７】  第３の実施形態のパンツ型使い捨て紙おむつの展開状態、一部破断平面図である。
【符号の説明】
１…本体バックシート、１３…吸収コア、２０…ウエスト弾性伸縮部材、２１…腰周り弾性伸縮部材。
【図１】
0004399071.tif 000002
【図２】
0004399071.tif 000003
【図３】
0004399071.tif 000004
【図４】
0004399071.tif 000005
【図５】
0004399071.tif 000006
【図６】
0004399071.tif 000007
【図７】
0004399071.tif 000008